(57)【特許請求の範囲】
【請求項１】
記録媒体に記録された放送コンテンツを再生する再生装置であって、
上記記録媒体には、放送コンテンツの放送媒体を示す放送媒体情報が、該放送コンテンツと関連付けて保存されており、
当該再生装置は、
放送コンテンツを再生する際に、該放送コンテンツに対して画像処理を施す画像処理手段と、
上記画像処理手段を制御する制御手段であって、上記画像処理手段が放送コンテンツに施す画像処理の程度を、該放送コンテンツに関連付けて保存された放送媒体情報に応じて自動的に設定する制御手段と、を備えている、
ことを特徴とする再生装置。
【請求項２】
上記記録媒体には、放送コンテンツの記録形態を示す記録形態情報が、該放送コンテンツと関連付けて保存されており、
上記制御手段は、さらに、上記画像処理の程度を、上記記録形態情報に応じて設定する、
ことを特徴とする請求項１に記載の再生装置。
【請求項３】
上記記録媒体には、放送コンテンツのジャンルを示すジャンル情報が、該放送コンテンツと関連づけて保存されており、
上記制御手段は、さらに、上記画像処理の程度を、上記ジャンル情報に応じて調整する、
ことを特徴とする請求項１又は２に記載の再生装置。
【請求項４】
上記記録媒体には、放送コンテンツの記録を指示したユーザを示すユーザ情報が、該放送コンテンツと関連づけて保存されており、
上記制御手段は、さらに、上記画像処理の程度を、上記ユーザ情報に応じて調整する、
ことを特徴とする請求項１から３までの何れか１項に記載の再生装置。
【請求項５】
上記放送媒体情報は、地上デジタル放送、ＢＳ放送、ＣＳ放送、ＣＡＴＶ放送、ＩＰ放送、及び、Ｈ．２６４放送の少なくとも何れか１つを含んでいる、
ことを特徴とする請求項１から４までの何れか１項に記載の再生装置。
【請求項６】
上記記録媒体は、当該再生装置に内蔵されている、
ことを特徴とする請求項１から５までの何れか１項に記載の再生装置。
【請求項７】
請求項１から６までの何れか１項に記載の再生装置を備えている、
ことを特徴とする表示装置。
【請求項８】
請求項１から６までの何れか１項に記載の再生装置を備えている、
ことを特徴とするテレビジョン受像機。
【請求項９】
記録媒体に記録された放送コンテンツを再生する再生装置の再生方法であって、
上記記録媒体には、放送コンテンツの放送媒体を示す放送媒体情報が、該放送コンテンツと関連付けて保存されており、
当該再生方法は、
放送コンテンツを再生する際に、該放送コンテンツに対して画像処理を施す画像処理ステップと、
上記画像処理ステップにおいて放送コンテンツに施す画像処理の程度を、該放送コンテンツに関連付けて保存された放送媒体情報に応じて自動的に設定する制御ステップと、を含んでいる、
ことを特徴とする再生方法。
【請求項１０】
コンピュータを請求項１から６までの何れか１項に記載の再生装置として動作させるためのプログラムであって、上記コンピュータを上記再生装置の各手段として機能させるプログラム。
【請求項１１】
請求項１０に記載のプログラムを記録したコンピュータ読み取り可能な記録媒体。
【発明の詳細な説明】
【技術分野】
【０００１】
本発明は、放送番組を再生する再生装置および再生方法に関する。また、そのような再生装置を備える表示装置、および、テレビジョン受像機、そのような再生装置を動作させるためのプログラム、および、そのようなプログラムが記録されている記録媒体に関する。
【背景技術】
【０００２】
近年、放送と通信の融合、放送番組の多様化により、衛星放送、ＣＡＴＶ放送、ＩＰ放送等でより多くの放送番組を録画したいというユーザのニーズが高まってきている。そこで、受信した放送番組を記憶装置に記録（録画）する際に、情報量を低くする（例えば、記録する放送番組の解像度を低くする、ビットレートを低くするなど）ことによって、より多くの放送番組を記録装置に記録することができるテレビジョン受像機が普及している。
【０００３】
このように、録画する際に情報量を低くすることは、録画した放送番組を再生する場合に発生するノイズの原因となっていた。これに対し、例えば、特許文献１、２に記載の技術が提案されている。
【０００４】
特許文献１には、コンテンツの録画倍率と、再生のビットレートとを検出し、検出した録画倍率とビットレートとの両方に応じて、映像信号を映像処理する映像表示装置が開示されている。
【０００５】
また、特許文献２には、自動的にビットレート量に対応して映像信号を最適に設定することができるようにした映像再生装置が開示されている。
【先行技術文献】
【特許文献】
【０００６】
【特許文献１】特開２０１１−１３０３６５号公報（２０１１年６月３０日公開）
【特許文献２】特開２０００−３５０１４４号公報（２０００年１２月１５日公開）
【発明の概要】
【発明が解決しようとする課題】
【０００７】
しかし、特許文献１及び２に記載の技術では、再生される放送番組の情報量に応じた画像処理が施されるのみであり、放送番組の放送媒体（例えば、地上デジタル放送、ＢＳ放送など）については何ら考慮されていないため、録画された放送番組を再生する際に最適な画像処理を施すことができないという問題があった。
【０００８】
これは、録画された放送番組が再生される時点において同じ情報量であっても、放送媒体が異なることによって、放送番組の情報量が異なり、録画された放送番組に含まれるノイズの量が異なるためである。
【０００９】
本発明は、上記の課題を解決するためになされたものであり、その主たる目的は、放送番組に対し、放送番組の放送媒体に応じた最適な画像処理を施すことができる再生装置を提供することである。
【課題を解決するための手段】
【００１０】
本発明の一形態に係る再生装置は、上記の課題を解決するために、記録媒体に記録された放送コンテンツを再生する再生装置であって、上記記録媒体には、放送コンテンツの放送媒体を示す放送媒体情報が、該放送コンテンツと関連付けて保存されており、当該再生装置は、放送コンテンツを再生する際に、該放送コンテンツに対して画像処理を施す画像処理手段と、上記画像処理手段を制御する制御手段であって、上記画像処理手段が放送コンテンツに施す画像処理の程度を、該放送コンテンツに関連付けて保存された放送媒体情報に応じて自動的に設定する制御手段と、を備えている、ことを特徴としている。
【００１１】
また、本発明の一形態に係る再生装置の再生方法は、上記の課題を解決するために、記録媒体に記録された放送コンテンツを再生する再生装置の再生方法であって、上記記録媒体には、放送コンテンツの放送媒体を示す放送媒体情報が、該放送コンテンツと関連付けて保存されており、当該再生方法は、放送コンテンツを再生する際に、該放送コンテンツに対して画像処理を施す画像処理ステップと、上記画像処理ステップにおいて放送コンテンツに施す画像処理の程度を、該放送コンテンツに関連付けて保存された放送媒体情報に応じて自動的に設定する制御ステップと、を含んでいる、ことを特徴としている。
【００１２】
上記の構成によれば、上記画像処理手段は、再生する放送コンテンツに関連付けて保存された上記放送媒体情報に応じて自動的に設定された画像処理の程度に従って、該放送コンテンツに対して画像処理を施す。これによって、上記画像処理手段は、上記放送コンテンツを、上記放送媒体に応じた最適な画像処理を施すことができる。
【００１３】
本発明の一形態に係る再生装置において、上記記録媒体には、放送コンテンツの記録形態を示す記録形態情報が、該放送コンテンツと関連付けて保存されており、上記制御手段は、さらに、上記画像処理の程度を、上記記録形態情報に応じて設定する、ことが好ましい。
【００１４】
上記の構成によれば、上記画像処理手段は、記録形態情報に応じて設定された画像処理の程度に従って、該放送コンテンツに対して画像処理を施す。これによって、上記画像処理手段は、上記放送コンテンツに対し、さらに、上記記録形態に応じて最適な画像処理を施すことができる。
【００１５】
本発明の一形態に係る再生装置において、上記記録媒体には、放送コンテンツのジャンルを示すジャンル情報が、該放送コンテンツと関連づけて保存されており、上記制御手段は、さらに、上記画像処理の程度を、上記ジャンル情報に応じて調整する、ことが好ましい。
【００１６】
本発明の一形態に係る再生装置において、上記記録媒体には、放送コンテンツの記録を指示したユーザを示すユーザ情報が、該放送コンテンツと関連づけて保存されており、上記制御手段は、さらに、上記画像処理の程度を、上記ユーザ情報に応じて調整する、ことが好ましい。
【００１７】
上記の構成によれば、上記再生装置は、再生対象番組（放送コンテンツ）を、当該再生対象番組の録画設定を行ったユーザの好みに合わせた画像処理を施したうえで、当該ユーザに提供することができる。
【００１８】
本発明の一形態に係る再生装置において、上記放送媒体情報は、地上デジタル放送、ＢＳ放送、ＣＳ放送、ＣＡＴＶ放送、ＩＰ放送、及び、Ｈ．２６４放送の少なくとも何れか１つを含んでいる、ことが好ましい。
【００１９】
本発明の一形態に係る再生装置において、上記記録媒体は、当該再生装置に内蔵されている、ことが好ましい。
【００２０】
なお、上記再生装置を備えた表示装置、及び、テレビジョン受像機も本発明の範疇に含まれる。
【００２１】
また、コンピュータを本発明に係る再生装置として動作させるためのプログラムであって、上記コンピュータを上記再生装置の各手段として機能させることを特徴とするプログラム、及び、それらのプログラムを記録したコンピュータ読み取り可能な記録媒体も本発明の範疇に含まれる。
【発明の効果】
【００２２】
本発明の一形態に係る再生装置は、上述したように、記録媒体に記録された放送コンテンツを再生する再生装置であって、上記記録媒体には、放送コンテンツの放送媒体を示す放送媒体情報が、該放送コンテンツと関連付けて保存されており、放送コンテンツを再生する際に、該放送コンテンツに対して画像処理を施す画像処理手段と、上記画像処理手段を制御する制御手段であって、上記画像処理手段が放送コンテンツに施す画像処理の程度を、該放送コンテンツに関連付けて保存された放送媒体情報に応じて自動的に設定する制御手段と、を備えている、ことを特徴としている。
【００２３】
また、本発明の一形態に係る再生装置の再生方法は、上述したように、記録媒体に記録された放送コンテンツを再生する再生装置の再生方法であって、上記記録媒体には、放送コンテンツの放送媒体を示す放送媒体情報が、該放送コンテンツと関連付けて保存されており、放送コンテンツを再生する際に、該放送コンテンツに対して画像処理を施す画像処理ステップと、上記画像処理ステップにおいて放送コンテンツに施す画像処理の程度を、該放送コンテンツに関連付けて保存された放送媒体情報に応じて自動的に設定する制御ステップと、を含んでいる、ことを特徴としている。
【００２４】
これによって、上記再生装置は、放送コンテンツに対し、該放送コンテンツの放送媒体に応じた最適な画像処理を施すことができる。
【図面の簡単な説明】
【００２５】
【図１】本発明の一実施形態に係る記録再生部、及び、映像処理回路の構成を示すブロック図である。
【図２】本発明の一実施形態に係る記録再生システムの構成を示す図である。
【図３】本発明の一実施形態に係るテレビの構成を示すブロック図である。
【図４】本発明の一実施形態に係る映像処理回路における画像処理の程度を定める補正値テーブルの一例を示す図である。
【図５】本発明の一実施形態の一変形例に係るテレビにおいて、再生対象番組のジャンルが映画である場合に参照される映画オフセットテーブルの一例を示す図である。
【図６】本発明の一実施形態の他の変形例に係るテレビにおける画像処理の程度を定めるテーブルの一例を示す図である。
【図７】本発明の一実施形態に係る映像処理回路における画像処理の程度を定める補正値テーブルの他の一例を示す図である。
【図８】本発明の一実施形態の一変形例に係るテレビにおいて、再生対象番組のジャンルが映画である場合に参照される映画オフセットテーブルの他の一例を示す図である。
【図９】本発明の一実施形態の他の変形例に係るテレビにおいて、画像処理の程度を決定する際に参照されるユーザオフセットテーブルの一例を示す図である。
【図１０】本発明の一実施形態のさらに他の変形例に係るテレビにおいて、再生対象番組に施される画像処理の程度を決定する際に参照される３Ｄオフセットテーブルの一例を示す図である。
【発明を実施するための形態】
【００２６】
本発明の一実施形態に係る記録再生装置について、図面に基づいて説明すれば以下のとおりである。なお、本実施形態に係る記録再生装置は、録画機能および再生機能の他に受信／再生／表示機能を有するテレビジョン受像機として実現されているので、以下ではこれを「テレビ」と呼ぶ。ただし、本発明の適用範囲は、録画機能および再生機能を有する記録再生装置一般に及ぶものであって、テレビに限定されるものではない。
【００２７】
まず、本実施形態に係るテレビを含む記録再生システムについて、図２を参照して説明する。図２は本実施形態に係る記録再生システムの構成を示す図である。
【００２８】
図２に示すように、本実施形態に係る記録再生システムは、受信した放送番組（放送コンテンツ）を録画及び再生するテレビ（記録再生装置）１、テレビ１にて録画される放送番組を格納するＵＳＢ−ＨＤドライブ（記録媒体）２、及び、テレビ１とＵＳＢ−ＨＤドライブ２とを接続するＵＳＢケーブル３を備えている。なお、放送番組とは、後述するように、地上デジタル放送及び衛星放送などにより放送される番組であり、動画像、静止画像、音声などを含んでいる。
【００２９】
〔テレビの構成〕
次に、本実施形態に係るテレビ１の構成を、図３を参照して説明する。図３は、本実施形態に係るテレビ１の構成を示すブロック図である。テレビ１は、図３に示すように、外部入力端子１０１、地上デジタル放送チューナ１０２、衛星放送チューナ１０３、録画再生部１０４、ＢＤドライブ１０５、映像セレクタ１０６、映像処理回路（画像処理手段）１０７、ＯＳＤ（On-Screen Display）生成部１０８、ＬＣＤ（Liquid Crystal Display）コントローラ１０９、ＬＣＤ１１０、音声セレクタ１１１、音声処理回路１１２、アンプ１１３、スピーカ１１４、ＵＳＢ（Universal Serial Bus）インターフェース１１５、ＲＯＭ１１６、ＲＡＭ１１７、ＣＰＵ（保存手段、制御手段）１１８、赤外線受光部１１９、カメラ１２０、および、ＨＤドライブ１２１を備えている。図３においては、映像信号の経路を実線で、音声信号の経路を１点鎖線で、データや制御信号の経路（バス）を太線で示している。また、図３に示すように、ＵＳＢインターフェース１１５には、ＵＳＢ−ＨＤドライブ２が接続されている。
【００３０】
外部入力端子１０１は、映像入力端子１０１ａと音声入力端子１０１ｂとを含む。映像入力端子１０１ａは、映像信号を入力するためのものであり、例えば、ＤＶＩ端子である。音声入力端子１０１ｂは、音声信号を入力するためのものであり、例えば、Ｓ／ＰＤＩＦ端子である。ただし、外部入力端子１０１は、これに限定されず、映像入力端子１０１ａと音声入力端子１０１ｂとが一体化されたＨＤＭＩ端子などであってもよい。
【００３１】
地上デジタル放送チューナ１０２は、地上デジタル放送により放送される放送番組を受信するためのチューナである。地上デジタル放送チューナ１０２は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号および音声信号を復号する復号部により構成することができる。
【００３２】
地上デジタル放送チューナ１０２により復調されたＭＰＥＧ２ストリームは、バスを介して録画再生部１０４に供給される。また、地上デジタル放送チューナ１０２により復号された映像信号および音声信号は、それぞれ、映像セレクタ１０６および音声セレクタ１１１に供給さる。なお、地上デジタル放送チューナ１０２が何れのチャンネルを復調対象として選択するかは、ＣＰＵ１１８により制御される。
【００３３】
なお、地上デジタル放送チューナ１０２は、異なるチャンネルを介して放送される２つのＭＰＥＧ２ストリームを同時に復調することが可能なダブルチューナであることが好ましい。この場合、地上デジタル放送チューナ１０２は、選局対象チャンネルとして選択した第１のチャンネルを介して放送されるＭＰＥＧ２ストリームを録画再生部１０４に供給すると共に、そのＭＰＥＧ２ストリームから復号した映像信号および音声信号を映像セレクタ１０６および音声セレクタ１１１に供給する。また、地上デジタル放送チューナ１０２は、録画対象チャンネルとして選択した第２のチャンネルを介して放送されるＭＰＥＧ２ストリームを録画再生部１０４に供給する。
【００３４】
もちろん、本発明に係る地上デジタル放送チューナ１０２は、ダブルチューナに限定されるものではなく、例えば、シングルチューナであってもよく、３つ以上のチューナを備える複数のチューナであってもよい。地上デジタル放送チューナ１０２がシングルチューナである場合には、ユーザが放送番組を視聴していないときに限って、放送番組を表すＭＰＥＧ２ストリームを録画再生部１０４に供給することができる。また、地上デジタル放送チューナ１０２が複数のチューナによって構成される場合には、チャンネル毎、放送波毎、又は、視聴者毎（例えば、お父さん、お母さん、及び、子供など）に、異なるチャンネルを介して放送される放送番組を表すＭＰＥＧ２ストリームを録画再生部１０４に供給することができる。
【００３５】
衛星放送チューナ１０３は、衛星放送により放送される放送番組を受信するためのチューナである。衛星放送チューナ１０３は、放送衛星を用いて衛星放送されるＢＳ放送番組を受信するＢＳ放送用チューナ、及び、通信衛星を用いて衛星放送されるＣＳ放送番組を受信するＣＳ放送用チューナを備えている。また、衛星放送チューナ１０３は、例えば、受信信号をアナログベースバンド信号に変換するＲＦ部、アナログベースバンド信号をデジタルベースバンド信号に変換するＡＤＣ部、デジタルベースバンド信号からＭＰＥＧ２ストリームを復調する復調部、および、ＭＰＥＧ２ストリームから映像信号を復号する復号部により構成することができる。
【００３６】
衛星放送チューナ１０３により復調されたＭＰＥＧ２ストリームは、録画再生部１０４に供給される。また、衛星放送チューナ１０３により復号された映像信号および音声信号は、それぞれ、映像セレクタ１０６および音声セレクタ１１１に供給さる。なお、衛星放送チューナ１０３が何れのチャンネルを介して伝送されるＭＰＥＧ２データストリームを復調するかは、ＣＰＵ１１８により選択される。
【００３７】
なお、本実施形態における衛星放送チューナ１０３が備えるＢＳ放送用チューナ及びＣＳ放送用チューナはそれぞれ、地上デジタル放送チューナ１０２と同様、異なるチャンネルを介して放送される２つの放送番組を同時に受信することが可能なダブルチューナであることが好ましい。
【００３８】
録画再生部１０４は、地上デジタル放送チューナ１０２および衛星放送チューナ１０３の何れかからＭＰＥＧ２ストリームを取得し、取得したＭＰＥＧ２ストリームを記録装置に書き込む。また、録画再生部１０４は、図１を参照して後述するように、録画部１０４ａ及び再生部１０４ｂを備えている。
【００３９】
録画部１０４ａは、テレビ１に内蔵されたＢＤドライブ１０５、テレビ１に内蔵されたＨＤドライブ１２１、および、ＵＳＢインターフェース１１５に接続されたＵＳＢ−ＨＤドライブ２を、ＭＰＥＧ２ストリームを記録するための記録装置として利用することができる。再生部１０４ｂは、記録装置からＭＰＥＧ２ストリームを読み出し、読み出したＭＰＥＧ２ストリームから映像信号および音声信号を復号し、それぞれ、映像セレクタ１０６および音声セレクタ１１１に供給する。
【００４０】
映像セレクタ１０６には、上述した４種類の映像信号が供給される。すなわち、（１）外部入力端子１０１（特に映像入力端子１０１ａ）から入力された映像信号、（２）地上デジタル放送チューナ１０２にて復号された映像信号、（３）衛星放送チューナ１０３にて復号された映像信号、および、（４）録画再生部１０４（特に再生部１０４ｂ）にて復号された映像信号が入力される。映像セレクタ１０６は、上記（１）〜（４）の映像信号のうちの何れか１つを選択する。映像セレクタ１０６によって選択された映像信号は、映像処理回路１０７に供給される。なお、映像セレクタ１０６が何れの映像信号を選択するかは、ＣＰＵ１１８によって制御される。
【００４１】
映像処理回路１０７は、映像セレクタ１０６から供給された映像信号に画質調整処理を施す。また、映像処理回路１０７は、映像セレクタ１０６から供給された映像信号にスケーリング処理を施す。ここで、画質調整処理とは、例えば、映像信号を加工することによって、その映像信号が表す映像の輝度、シャープネス、および、コントラストの少なくとも何れかを変更することを指す。また、スケーリング処理とは、映像信号を加工することによって、その映像信号が表す映像のサイズを相似拡大または相似縮小することを指す。映像処理回路１０７によって加工された映像信号は、ＬＣＤコントローラ１０９に供給される。なお、映像処理回路１０７が画質およびサイズをどのように変更するかは、ＣＰＵ１１８によって制御される。
【００４２】
ＯＳＤ生成部１０８は、ＣＰＵ１１８から供給されたＯＳＤデータからＯＳＤ画像を生成（レンダリング）する。ＯＳＤ生成部１０８が生成するＯＳＤ画像としては、後述する電子番組表などが挙げられる。ＯＳＤデータとしては、例えば、ＳＶＧ（Scalable Vector Graphics）を用いることができる。ＯＳＤ生成部１０８により生成されたＯＳＤ画像は、映像処理回路１０７から供給された映像信号に重畳され、ＬＣＤコントローラ１０９に供給される。
【００４３】
ＬＣＤコントローラ１０９は、映像処理回路１０７から供給された映像信号に基づいて、その映像信号が表す映像を表示するようにＬＣＤ１１０を駆動する。また、ＯＳＤ生成部１０８からＯＳＤ画像が供給されている場合、ＬＣＤコントローラ１０９は、映像処理回路１０７から供給された映像信号にＯＳＤ画像が重畳されたものに基づいて、その映像信号が表す映像を表示するようにＬＣＤ１１０を駆動する。
【００４４】
音声セレクタ１１１には、上述した４種類の音声信号が供給される。すなわち、（１）外部入力端子１０１（特に音声入力端子１０１ｂ）から入力された音声信号、（２）地上デジタル放送チューナ１０２にて復号された音声信号、（３）衛星放送チューナ１０３にて復号された音声信号、および、（４）録画再生部１０４（特に再生部１０４ｂ）にて復号された音声信号が入力される。音声セレクタ１１１は、上記（１）〜（４）の音声信号のうちの何れか１つを選択する。
【００４５】
音声セレクタ１１１によって選択された音声信号は、音声処理回路１１２に供給される。なお、音声セレクタ１１１が何れの音声信号を選択するかは、ＣＰＵ１１８によって制御される。ただし、映像セレクタ１０６における映像の選択と、音声セレクタ１１１における音声の選択とは連動しており、例えば、映像セレクタ１０６が地上デジタル放送チューナ１０２から供給された映像信号を選択しているときには、音声セレクタ１１１も地上デジタル放送チューナ１０２から供給された音声信号を選択する。
【００４６】
音声処理回路１１２は、音声セレクタ１１１から供給された音声信号に音量調整処理を施す。また、音声処理回路１１２は、音声セレクタ１１１から供給された音声信号に音質調整処理を施す。ここで、音量調整処理とは、音声信号を加工することによって、その音声信号が表す音声の音量を変更することを指す。また、音質調整処理とは、音声信号を加工することによって、その音声信号が表す音声の周波数特性を変更すること（例えば、低域の強調や高域の強調など）を指す。音声処理回路１１２によって加工された音声信号は、アンプ１１３に供給される。なお、音声処理回路１１２によって音量および音質をどのように変更するかは、ＣＰＵ１１８によって制御される。
【００４７】
アンプ１１３は、音声処理回路１１２から供給された音声信号に基づいて、その音声信号が表す音声を出力するようにスピーカ１１４を駆動する。
【００４８】
ＣＰＵ１１８は、赤外線受光部１１９が受信したリモコン信号、および、カメラ１２０が撮像した画像に応じて上記各部を制御する。赤外線受光部１１９を用いた制御としては、例えば、地上デジタル放送チューナ１０２および衛星放送チューナ１０３の受信チャンネルをリモコン信号に応じて切り替える制御や、映像セレクタ１０６および音声セレクタ１１１にて選択する映像信号および音声信号をリモコン信号に応じて切り替える制御などが挙げられる。また、カメラ１２０を用いた制御としては、例えば、映像処理回路１０７にて画質をどのように調整するかを、撮像した画像に基づいて特定した視聴者に応じて切り替える制御などが挙げられる。
【００４９】
また、ＣＰＵ１１８は、各放送局から提供されるＥＰＧ（Electronic Program Guide）データから放送番組テーブルを作成する機能を有している。なお、各放送局から提供されるＥＰＧデータは、例えば、地上デジタル放送チューナ１０２又は衛星放送チューナ１０３を用いて取得してもよいし、図示しないイーサーネット（登録商標）インターフェースを介して、インターネットに接続されたサーバから取得してもよい。
【００５０】
ＲＯＭ１１６は、ＣＰＵ１１８によって実行されるプログラムなどの固定データが格納される、読み出し可能かつ書き込み不能なメモリである。一方、ＲＡＭ１１７は、ＣＰＵ１１８が演算のために参照するデータや、ＣＰＵ１１８が演算によって生成したデータなどの可変データが格納される、読み出し可能かつ書き込み可能なメモリである。例えば、放送番組テーブルは、このＲＡＭ１１７に格納される。
【００５１】
ＵＳＢインターフェース１１５は、ＵＳＢ機器をテレビ１に接続するためのインターフェースである。テレビ１に接続可能なＵＳＢ機器としては、ＨＤ（ハードディスク）ドライブなどの記録装置が代表的である。本実施形態においては、図３に示すように、ＵＳＢインターフェース１１５にＵＳＢ−ＨＤドライブ２が接続されている場合を例に挙げて説明する。
【００５２】
なお、本実施形態においては、ＵＳＢインターフェース１１５に接続されたＵＳＢ−ＨＤドライブ２（外付ＨＤドライブ）を、録画された放送番組（以降、録画番組とも呼称する）を記録するための記録装置として利用する構成を採用しているが、本発明はこれに限定されない。例えば、テレビ１に内蔵されたＨＤドライブ１２１（内蔵ＨＤドライブ）、および、テレビ１に内蔵されたＢＤドライブ１０５（内蔵ＢＤドライブ）を、録画番組を記録する記録装置して利用してもよい。また、テレビ１にＢＤドライブがＵＳＢ接続されている場合、このＢＤドライブ（外付ＢＤドライブ）を、録画番組を記録する記録装置として利用してもよい。また、ＢＤドライブ以外の光ディスクドライブがＵＳＢ接続されている場合、この光ディスクドライブを記録媒体を録画番組の蓄積に利用してもよいし、ＵＳＢフラッシュメモリなどの記録媒体を録画番組の蓄積に利用してもよい。要するに、記録媒体は、録画番組を蓄積が可能であれば、何を用いてもよい。
【００５３】
また、録画番組の蓄積に利用する外部記録装置（本実施形態においてはＵＳＢ−ＨＤドライブ２）を接続するためのインターフェースも、ＵＳＢインターフェース１１５に限定されない。すなわち、ＵＳＢインターフェース１１５は、例えば、ＡＴＡ（Advanced Technology Attachment）、ＡＴＡＰＩ（ATA Packet Interface）、ＩＥＥＥ１３９４、ＨＤＭＩ（High-Definition Multimedia Interface）、および、ＬＡＮなどの有線接続用インターフェース、あるいは、ＩＥＥＥ８０２１１などの無線接続用インターフェースに置換することが可能である。ＳＤカードが接続されている場合には、このＳＤカードを録画番組の蓄積に利用してもよい。要するに、外部記録装置を接続するためのインターフェースは、録画番組を伝送可能なものであれば、何を用いてもよい。
【００５４】
また、本実施形態においては、地上デジタル放送の方式として、ＭＰＥＧ２ストリームを多重化する方式（米国におけるＡＴＳＣ方式や日本におけるＩＳＤＢ−Ｔ方式など）を想定しているが、本発明はこれに限定されるものではない。すなわち、例えば、ＭＰＥＧ２ストリームを多重化する代わりに、ＭＰＥＧ４ストリーム等を多重化する方式（欧州におけるＤＶＢ−Ｔ／ＤＶＢ−Ｔ２方式など）に対しても本発明を適用することができる。後者の場合、復調したＭＰＥＧ４ストリームをそのまま記録媒体に記録する構成を採用してもよいし、あるいは、復調したＭＰＥＧ４ストリームをＭＰＥＧ２ストリームに変換して記録媒体に記録する構成を採用してもよい。
【００５５】
〔録画再生部、映像処理回路の構成〕
次に、録画再生部１０４、及び、映像処理回路１０７の構成について、図１を参照して説明する。図１は、本実施形態に係る録画再生部１０４、及び、映像処理回路１０７の構成を示すブロック図である。
【００５６】
図１に示すように、録画再生部１０４は、録画部（記録手段）１０４ａ、及び、再生部（再生手段）１０４ｂを備えている。また、録画部１０４ａは、スケーリング処理部１１、及び、符号化部１２を備えており、再生部１０４ｂは、復号部１３を備えている。
【００５７】
また、図１に示すように、映像処理回路１０７は、スケーリング処理部２１、ノイズ除去部（平滑化手段）２２、階調スムーサ部（平滑化手段）２３、エッジ強調部（エッジ強調／高精細化手段）２４、及び、高精細化処理部（エッジ強調／高精細化手段）２５を備えている。なお、本実施形態においては、ノイズ除去部２２及び階調スムーサ部２３によって平滑化手段を構成し、エッジ強調部２４及び高精細化処理部２５によってエッジ強調／高精細化手段を構成している。
【００５８】
本実施形態に係るテレビ１は、上述した構成を備える録画再生部１０４、及び、映像処理回路１０７を有することによって、以下に説明する録画処理、及び、再生処理を実行することができる。なお、以下では、地上デジタル放送チューナ１０２が受信した放送番組を録画する録画機能について説明するが、衛星放送チューナ１０３が受信した放送番組を録画する録画機能についても同様に実現することができる。
【００５９】
（録画処理）
まず、本実施形態に係るテレビ１の録画処理について説明する。
【００６０】
ＣＰＵ１１８は、ユーザによって予め録画の設定がされている放送番組（以降、録画対象番組とも呼称する）を放送するチャンネル（以降、録画対象チャンネルとも呼称する）から録画放送番組を受信するよう、地上デジタル放送チューナ１０２の受信チャンネルを切り替える。
【００６１】
地上デジタル放送チューナ１０２は、ＣＰＵ１１８によって切り替えられた録画対象チャンネルを介して放送される録画対象番組を受信する。地上デジタル放送チューナ１０２にて受信された録画対象番組は、地上デジタル放送チューナ１０２が備える復号部において復号され、録画部１０４ａが備えるスケーリング処理部１１に供給される。
【００６２】
スケーリング処理部１１は、地上デジタル放送チューナ１０２から供給された録画対象番組をスケーリングする。このとき、ＣＰＵ１１８は、スケーリング処理部１１に対し、録画対象番組を何れの解像度で録画するかを指示する録画形態（記録形態）決定指示を通知する。
【００６３】
録画形態決定指示とは、例えば、録画対象番組を、そのままの解像度で録画する（以降、ＤＲモードとも呼称する）か、元の解像度の１／４の解像度で録画する（以降、モード１とも呼称する）か、元の解像度の１／８の解像度で録画する（以降、モード２とも呼称する）かなどを通知する指示である。
【００６４】
スケーリング処理部１１は、ＣＰＵ１１８から、録画形態決定指示としてモード１で録画する旨の指示を取得すると、録画対象番組の解像度を１／４にスケーリングし、モード２で録画する旨の指示を取得すると、録画対象番組の解像度を１／８にスケーリングする。スケーリング処理部１１は、スケーリングした放送番組を、符号化部１２に供給する。
【００６５】
符号化部１２は、スケーリング処理部１１においてスケーリングされた録画対象番組を符号化する。符号化部１２は、例えば、録画対象番組を、ＭＰＥＧ２ストリーム又はＭＰＥＧ４ストリームなどに符号化すればよい。
【００６６】
録画部１０４ａは、スケーリング処理部１１においてスケーリングし、符号化部１２において符号化した録画対象番組を、ＵＳＢインターフェース１１５を介してＵＳＢ−ＨＤドライブ２に格納する。
【００６７】
このとき、ＣＰＵ１１８は、録画対象番組の放送媒体（ここでは、地上デジタル放送）を示す放送媒体情報を、録画対象番組と関連付けて、ＵＳＢインターフェース１１５を介してＵＳＢ−ＨＤドライブ２に格納する。例えば、ＣＰＵ１１８は、録画対象チャンネルが属する放送媒体を、録画対象番組の放送媒体として特定することができる。なお、放送媒体は、地上デジタル放送、ＢＳ放送、ＣＳ放送、ＣＡＴＶ放送、及び、ＩＰ放送などの放送種別を示している。
【００６８】
また、放送種別の他の例としては、ワンセグ放送、及び、Ｈ．２６４のプロファイルを採用した放送規格（例えば、北米の放送規格であるＡＴＳＣ規格、欧州の放送規格であるＤＶＢ規格など）を利用した放送（以降、Ｈ．２６４放送とも記載する）などを挙げることもできる。
【００６９】
また、ＣＰＵ１１８は、スケーリング処理部１１においてスケーリングした録画対象番組の録画形態情報（記録形態情報）を、録画対象番組と関連付けて、ＵＳＢインターフェース１１５を介してＵＳＢ−ＨＤドライブ２に格納する。以降では、放送媒体情報および録画形態情報を録画情報とも呼称する。
【００７０】
このように、録画処理において、録画対象番組と、録画情報とが、ＣＰＵ１１８によって関連付けられる。
【００７１】
なお、本実施形態では、ＣＰＵ１１８は、ユーザによって予め設定されている録画対象番組を放送するチャンネルを受信するよう地上デジタル放送チューナの受信チャンネルを切り替える構成を例に挙げて説明したが、本発明はこれに限定されるものではない。例えば、ＣＰＵは１１８は、赤外線受光部１１９を介してユーザが録画対象番組を指定した場合には、指定された録画対象番組を放送する録画対象チャンネルから録画対象番組を受信するよう、地上デジタル放送チューナ１０２の受信チャンネルを切り替えてもよい。
【００７２】
また、録画形態決定指示が示すモードとして、そのままの解像度で録画するか、１／４の解像度で録画するか、１／８の解像度で録画するかの３つのモードを例に挙げて説明したが、本発明はこれに限定されるものではない。例えば、録画形態決定指示が示すモードとして、元の解像度の１／２の解像度で録画するモード、元の解像度の１／６の解像度で録画するモードなどを利用することもできる。
【００７３】
なお、本実施形態では、録画情報を、ＵＳＢ−ＨＤドライブ２に格納する構成を例に挙げて説明したが、本発明はこれに限定されるものではない。例えば、ＣＰＵ１１８は、録画情報を、録画対象番組と関連付けて、テレビ１が内蔵するＨＤドライブ１２１に格納してもよい。すなわち、録画情報は、録画対象番組と関連付けられていれば、何れの記憶装置に格納されてもよい。
【００７４】
また、録画対象番組を、ＵＳＢ−ＨＤドライブ２に格納する構成を例に挙げて説明したが、本発明はこれに限定されるものではない。例えば、録画部１０４ａは、録画対象番組を、テレビ１が内蔵するＨＤドライブ１２１に格納することによって録画してもよいし、ＢＤドライブ１０５にてＢＤに記録することによって録画してもよい。
【００７５】
なお、本実施形態では、ＣＰＵ１１８が、録画対象チャンネルが属する放送媒体を、録画対象番組の放送媒体として特定する構成を例に挙げて説明したが、本発明はこれに限定されるものではない。例えば、録画対象番組のフォーマットに基づいて録画対象番組の放送媒体を特定する構成を採用してもよい。
【００７６】
一般的に、録画対象番組の解像度は、放送媒体が「ＢＳ放送」である場合には「1920×1080」であり、放送媒体が「地上デジタル放送」である場合には「1440×1080」であり、「ＣＳ放送」の特定のチャンネルであれば「480×480」である。また、録画対象番組の解像度は、放送媒体が「ＣＳ放送」の他のチャンネルである場合には「1280×720」又は「720×480」であり、「ワンセグ放送」である場合には最大「352×480」である。また、録画対象番組がサイド・バイ・サイド方式の３Ｄ映像（３次元画像）である場合には、上述した解像度のうち、水平解像度が半減する。
【００７７】
従って、録画対象番組の解像度を解析することにより、放送媒体を特定することができる。
【００７８】
（再生処理）
次に、本実施形態に係るテレビ１の再生処理について説明する。
【００７９】
ＣＰＵ１１８は、ユーザがリモコンなどを操作することによって行う、ＵＳＢ−ＨＤドライブ２に格納されている録画対象番組を再生する旨を示す再生指示を、赤外線受光部１１９を介して取得すると、指示された録画対象番組を、再生対象番組としてＵＳＢ−ＨＤドライブ２から読み出すよう、録画再生部１０４に指示する。
【００８０】
録画再生部１０４が備える再生部１０４ｂは、ＣＰＵ１１８の指示に基づき、ＵＳＢインターフェース１１５を介してＵＳＢ−ＨＤドライブ２に格納されている符号化された再生対象番組を取得する。ここで、再生対象番組は、例えば、ＭＰＥＧ２ストリーム又はＭＰＥＧ４ストリームなどに符号化されている。
【００８１】
再生部１０４ｂは、符号化された再生対象番組を取得すると、復号部１３において再生対象番組を復号する。再生部１０４ｂは、復号部１３において復号された再生対象番組の映像信号を、映像セレクタ１０６を介して、映像処理回路１０７に供給する。
【００８２】
映像処理回路１０７は、スケーリング処理部２１において、再生部１０４ｂから供給された再生対象番組の映像信号に対し、スケーリング処理を施し、映像信号が表す映像のサイズを、ＬＣＤ１１０に表示されるサイズに最適なサイズに拡大又は縮小する。
【００８３】
映像処理回路１０７は、スケーリング処理部２１においてスケーリング処理を施した再生対象番組の映像信号に対し、ノイズ除去部２２にてノイズリダクション処理を施し、階調スムーサ部２３にて階調平滑化処理を施し、エッジ強調部２４にてエッジ強調処理を施し、高精細化処理部２５において高精細化処理を施す。ノイズ除去部２２、階調スムーサ部２３、エッジ強調部２４、及び、高精細化処理部２５は、後述するように、ＣＰＵ１１８から供給される、各処理部２２〜２５における画像処理の程度を示す情報に従って、画像処理を施す。
【００８４】
ＣＰＵ１１８は、録画再生部１０４に再生対象番組を読み出す旨の指示を通知すると、読み出すよう指示した再生対象番組に関連付けられている録画情報を読み出し、映像処理回路１０７が再生対象コンテンツに施す画像処理の程度を自動的に設定して、映像処理回路１０７に供給する。具体的には、ＣＰＵ１１８は、再生対象番組に施す画像処理の程度を録画情報に応じて予め設定している補正値テーブル（テーブル）をＲＯＭ１１６から取得し、補正値テーブルに基づいて決定した画像処理の程度を示す値を映像処理回路１０７に供給する。これによって、映像処理回路１０７は、供給された再生対象番組の放送媒体、及び、供給された再生対象番組の録画形態に応じた画像処理を行うことができる。
【００８５】
ここで、補正値テーブルについて、図４を参照して説明する。図４は、本実施形態に係る映像処理回路１０７における画像処理の程度を定める補正値テーブルの一例を示す図である。
【００８６】
図４に示すように、補正値テーブルには、再生対象番組の放送媒体及び録画時の録画形態に応じて、ノイズ除去部２２、階調スムーサ部２３、エッジ強調部２４、及び、高精細化処理部２５のそれぞれにおいて施される画像処理の程度を示す値（図４においては、それぞれ、ＤＮＲ、階調スムーサ、エッジ強調、及び、高精細化）が予め設定されている。
【００８７】
例えば、補正値テーブルは、図４に示すように、放送媒体が「ＢＳ放送」であり、録画形態が「モード１」である場合には、再生対象番組の映像信号に対して、ノイズ除去部２２にて施されるノイズリダクション処理の強度が「４」であり、階調スムーサ部２３にて施される階調平滑化処理の強度が「３」であり、エッジ強調部２４にて施されるエッジ強調処理の強度が「１」であり、高精細化処理部２５にて施される高精細化処理の強度が「６」であることを示している。
【００８８】
なお、補正値テーブルの数値は、映像処理回路１０７の各処理部２２〜２５において施されるノイズリダクション処理、階調平滑化処理、エッジ強調処理、及び、高精細化処理のパラメータに対する係数を表している。
【００８９】
また、補正値テーブルでは、同じ放送媒体であっても、解像度が低い録画形態であるほど、各処理部２２〜２５にて施される画像処理の程度が大きく設定されている。すなわち、補正値テーブルには、録画形態情報から特定される解像度が低いほど、各処理部２２〜２５における画像処理の程度を強くするよう、値が設定されている。
【００９０】
また、補正値テーブルでは、同じ解像度の録画形態で録画されている再生対象番組であっても、放送媒体によって、各処理部２２〜２５にて施される画像処理の程度の値が異なる場合があるように設定されている。例えば、録画形態が「ＤＲモード」であるとき、放送媒体が「ＢＳ放送」である場合に参照されるノイズリダクション処理の強度は「２」であり、放送媒体が「地上Ｄ（デジタル）放送」である場合に参照されるノイズリダクション処理の強度は「３」である。
【００９１】
この補正テーブルを参照することによって、ＣＰＵ１１８は、映像処理回路１０７が再生対象番組の映像信号に施す画像処理の程度を、再生対象番組に関連付けて格納されている放送媒体情報及び記録形態情報に応じて自動的に設定することができる。
【００９２】
ノイズ除去部２２は、ＣＰＵ１１８から供給されたノイズリダクション処理の強度に従い、再生対象番組の映像信号に対して、再生対象番組の録画形態によって異なるノイズ（いわゆる、ＭＰＥＧノイズ）を除去するノイズリダクション処理を施す。これによって、いわゆるブロックノイズ、モスキートノイズ、ランダムノイズ、ドットノイズなどのノイズを除去することができる。
【００９３】
階調スムーサ部２３は、ＣＰＵ１１８から供給された階調平滑化処理の強度に従い、ノイズ除去部２２においてノイズリダクション処理が施された再生対象番組の映像信号に対して、階調平滑化処理を施す。これによって、ブロックノイズ、モスキートノイズなどのノイズをさらに除去することができる。
【００９４】
ここで、ノイズ除去部２２及び階調スムーサ部２３においてノイズ除去が施された再生対象番組の映像信号が表示する映像は、元の再生対象番組の映像信号が表示する映像よりも、ぼやけた映像になってしまう。すなわち、ノイズ除去部２２及び階調スムーサ部２３においては、再生対象番組に含まれるノイズを除去することができるが、再生対象番組が表す映像の輪郭などがぼやけることで、鮮鋭感及び精細感が低下してしまうという副次的な問題を招来し得る。
【００９５】
そこで、エッジ強調部２４は、ＣＰＵ１１８から供給されたエッジ強調処理の強度に従い、ノイズ除去部２２及び階調スムーサ部２３においてノイズ除去を施したことによってぼやけた再生対象番組の映像信号に対して、映像の輪郭を強調するエッジ強調処理を施す。これによって、エッジ強調部２４は、再生対象番組の映像信号から失われた鮮鋭感を復元することができる。
【００９６】
高精細化処理部２５は、ＣＰＵ１１８から供給された高精細化処理の強度に従い、エッジ強調部２４においてエッジ強調処理を施した再生対象番組の映像信号に対して、高精細化処理を施す。これによって、高精細化処理部２５は、再生対象番組の映像信号から失われた精細感を復元することができる。
【００９７】
これによって、再生対象番組のエッジ強調（例えば、輪郭補正など）、及び、高精細化（いわゆる、超解像化）を自動的に設定することができるため、ノイズの除去と同時に失われてしまう鮮鋭感、及び、精細感を復元し、さらなる高画質化を図ることができる。
【００９８】
映像処理回路１０７は、各処理部２２〜２５において処理された再生対象番組の映像信号をＬＣＤコントローラ１０９に供給し、ＬＣＤコントローラ１０９は、供給された再生対象番組の映像信号が表す映像をＬＣＤ１１０に表示する。
【００９９】
なお、本実施形態では、再生対象番組の映像信号に対して、映像処理回路１０７の各処理部２２〜２５における画像処理を全て施す場合を例に挙げて説明したが、本発明はこれに限定されるものではない。例えば、再生対象番組の映像信号に対して、ノイズ除去部２２及び階調スムーサ部２３の少なくとも何れかにおいて画像処理が施され、エッジ強調部２４及び高精細化処理部２５の少なくとも何れかにおいて画像処理が施されればよい。
【０１００】
なお、本実施形態では、ＣＰＵ１１８において、映像処理回路１０７の各処理部２２〜２５において施される画像処理の程度を決定する構成を例に挙げて説明したが、これに限定されるものではない。例えば、映像処理回路１０７が、ＣＰＵ１１８から供給された補正値テーブルと録画情報とに基づいて、各処理部２２〜２５において施される画像処理の程度を決定する構成を採用してもよい。
【０１０１】
本実施形態に係る映像処理回路１０７は、さらに、インタレース映像信号をプログレッシブ映像信号に変換するＩＰ変換部、１フレーム中の画素の相関に基づいて映像信号のノイズ成分を除去する２次元フィルタ部、及び、あるフレームにおける映像信号と当該あるフレームの直前のフレームとを加重加算することにより映像信号のノイズ成分を除去する３次元フィルタ部（何れも不図示）などを備えていても良い。
【０１０２】
これらをさらに備えることによって、映像処理回路１０７は、さらに精度よくノイズ除去をおこなうことができる。
【０１０３】
また、トランスポートストリームからなる再生対象番組のＭＰＥＧ−２ストリームを復号部１３において復号した際の、再生対象番組の映像信号が「Side by side」方式、及び、「Top And Bottom」方式などの３次元映像信号である場合には、フリッカ、色にじみなどが発生しやすい傾向にある。これを解決するため、各処理部２２〜２５における画像処理の程度を弱く設定したテーブルを新たに設けてもよい。
【０１０４】
（補正値テーブルの他の一例）
補正値テーブルの他の一例について、図７を参照して説明する。図７は、本実施形態に係る映像処理回路１０７における画像処理の程度を定める補正値テーブルの他の一例を示す図である。
【０１０５】
図７に示す補正値テーブルにおいては、図４に示す補正値テーブルにおいて予め設定されている値に加え、放送媒体が「Ｈ．２６４放送」である場合、及び「ワンセグ放送」である場合における画像処理の程度を示す値が予め設定されている。なお、図７では、補正値テーブルにおいて設定されている値を、１６進数によって表現している。
【０１０６】
また、図７に示す、補正値テーブルの数値は、映像処理回路１０７の備えるノイズ除去部２２、階調スムーサ部２３、エッジ強調部２４、及び、高精細化処理部２５において施されるノイズリダクション処理、階調平滑化処理、エッジ強調処理、及び、高精細化処理のパラメータに対する係数（すなわち、画像処理の程度の値）（図７におけるＤＮＲ、階調スムーサ、エッジ強調、及び、高精細化）を表している。
【０１０７】
なお、図７に示す補正値テーブルは、図４に示す補正値テーブルと同様に、同じ放送媒体であっても、録画形態の解像度が低いほど、各処理部２２〜２５において施される画像処理の程度の値が大きく設定されている。また、補正値テーブルでは、同じ解像度の録画形態で録画されている再生対象番組であっても、放送媒体によって、各処理部２２〜２５にて施される画像処理の程度の値が異なる場合があるように設定されている。
【０１０８】
例えば、図７に示す補正値テーブルには、放送媒体が「ＢＳ放送」であり、録画形態が「モード１」である場合の、再生対象番組の映像信号に対する画像処理の程度の値として、ＤＮＲ「０ｘ０３」、階調スムーサ「０ｘ０３」、エッジ強調「０ｘ０１」、及び、高精細化「０ｘ０８」が設定されている。また、放送媒体が「ＢＳ放送」であり、録画形態が「モード２」である場合の、再生対象番組の映像信号に対する画像処理の程度の値として、ＤＮＲ「０ｘ０５」、階調スムーサ「０ｘ０５」、エッジ強調「０ｘ０２」、及び、高精細化「０ｘ１１」が設定されている。
【０１０９】
さらに、放送媒体が「Ｈ．２６４放送」であり、録画形態が「モード１」である場合の、再生対象番組の映像信号に対する画像処理の程度の値として、ＤＮＲ「０ｘ０７」、階調スムーサ「０ｘ０７」、エッジ強調「０ｘ０３」、及び、高精細化「０ｘ１３」が設定されている。また、放送媒体が「ワンセグ放送」であり、録画形態が「モード１」である場合の再生対象番組の映像信号に対する画像処理の程度の値として、ＤＮＲ「０ｘ０８」、階調スムーサ「０ｘ０８」、エッジ強調「０ｘ０４」、及び、高精細化「０ｘ１４」が設定されている。
【０１１０】
なお、一般的に各国において採用されている放送媒体（フォーマット）は異なるため、本発明に係る表示装置は、各国において採用されている放送媒体に最適な値の設定された補正値テーブルを備えていればよい。さらに、補正値テーブルは、ユーザによって任意に設定可能であってもよい。
【０１１１】
＜変形例１＞
本実施形態に係るテレビ１の再生処理において、放送媒体情報及び録画形態情報からなる録画情報に応じて再生対象番組に施される画像処理の程度を決定する構成を例に挙げて説明したが、本発明はこれに限定されるものではない。
【０１１２】
例えば、放送媒体情報及び録画形態情報に加え、再生対象番組のジャンル情報に応じて、再生対象番組に施される画像処理の程度を決定する構成を採用してもよい。放送媒体情報、録画形態情報、及び、ジャンル情報に応じて再生対象番組に施される画像処理の程度を決定する構成について、図５及び図８を参照して説明する。
【０１１３】
この場合、ＣＰＵ１１８は、上述した録画処理において、録画対象番組のジャンル情報を録画対象番組と関連付け、放送媒体情報及び録画形態情報と併せてＵＳＢ−ＨＤドライブ２に格納すればよい。
【０１１４】
本変形例では、再生対象番組のジャンルが映画である場合に、図４及び図７に示す補正値テーブルに設定されている画像処理の程度を示す値を、図５及び図８に示すオフセットテーブルを参照して調整する構成を例に挙げて説明する。
【０１１５】
なお、ジャンル情報は、例えば、各放送局から提供されるＥＰＧを参照することによって取得することができる。
【０１１６】
図５は、本変形例に係るテレビ１において、再生対象番組のジャンルが映画である場合に参照される映画オフセットテーブルの一例を示す図である。また、図８は、本変形例に係るテレビ１において、再生対象番組のジャンルが映画である場合に参照される映画オフセットテーブルの他の一例を示す図である。図５及び図６に示すように、映画オフセットテーブルには、ジャンルが映画である場合に、録画形態に応じて補正値テーブルに設定されている画像処理の程度を示す値を調整するための値が設定されている。
【０１１７】
なお、映画オフセットテーブルの数値は、映像処理回路１０７の各処理部２２〜２５において施されるノイズリダクション処理、階調平滑化処理、エッジ強調処理、及び、高精細化処理のパラメータに対する係数を調整するためのオフセット値を表している。
【０１１８】
例えば、再生対象番組が「モード１」の録画形態で録画されており、放送媒体が「ＢＳ放送」である場合、ノイズ除去部２２にて施されるノイズリダクション処理の強度は、図４に示す補正値テーブルに設定されている「４」から図５に示す映画オフセットテーブルに設定されている「−２」だけオフセットされて「２」となり、同様に、階調スムーサ部２３にて施される階調平滑化処理の強度は「３」から「−１」だけオフセットされて「２」となる。また、エッジ強調部２４にて施されるエッジ強調処理の強度は「１」のままとなり、高精細化処理部２５にて施される高精細化処理の強度は「６」のままとなる。
【０１１９】
また、再生対象番組が「モード２」の録画形態で録画されており、放送媒体が「地上Ｄ放送」である場合も同様に、ノイズ除去部２２にて施されるノイズリダクション処理の強度は「７」から「−４」だけオフセットされて「３」となり、階調スムーサ部２３にて施される階調平滑化処理の強度は「６」から「−２」だけオフセットされて「４」となる。さらに、エッジ強調部２４にて施されるエッジ強調処理の強度は「３」から「＋１」だけオフセットされて「４」となり、高精細化処理部２５にて施される高精細化処理の強度は「８」から「＋１」だけオフセットされて「９」となる。
【０１２０】
さらに、再生対象番組が「モード１」の録画形態で録画されており、放送媒体が「ワンセグ放送」である場合、ノイズ除去部２２にて施されるノイズリダクション処理の強度は、図７に示す補正値テーブルに設定されている「０ｘ０８」から図８に示す映画オフセットテーブルに設定されている「−０ｘ０２」だけオフセットされて「０ｘ０６」となり、同様に、階調スムーサ部２３にて施される階調平滑化処理の強度は「０ｘ０８」から「−０ｘ０１」だけオフセットされて「０ｘ０７」となる。また、エッジ強調部２４にて施されるエッジ強調処理の強度は「０ｘ０４」のままとなり、高精細化処理部２５にて施される高精細化処理の強度は「０ｘ１４」のままとなる。
【０１２１】
このように、再生対象番組のジャンルが映画である場合に、ノイズ除去部２２及び階調スムーサ部２３における画像処理の程度を補正値テーブルに予め定められている程度以下となるよう調整する。これにより、ノイズ除去部２２及び階調スムーサ部２３においてグレインノイズが必要以上に除去されることを防ぐことができる。
【０１２２】
また、再生対象番組のジャンルが映画である場合に、エッジ強調部２４及び高精細化処理部２５における画像処理の程度を補正値テーブルに予め定められている程度以上となるよう調整する。これにより、ノイズ除去部２２及び階調スムーサ部２３において除去されたグレインノイズを強調し、グレインノイズを再現することができる。
【０１２３】
なお、本変形例では、ＥＰＧから取得したジャンル情報を録画対象番組と関連付けておくことにより、再生対象番組のジャンルが映画であるかを特定する構成を例に挙げて説明したが、本発明はこれに限定されるものではない。例えば、映像処理回路１０７に、再生対象番組の映像信号が、２，３プルダウン処理（映画フィルムなどに毎秒２４コマで記録された映像を、放送用などに用いられる毎秒６０フィールドの映像信号に変換）された映像信号であるか否かを判定する判定部（不図示）を備えることによって、再生対象番組が映画であるかを特定する構成を採用してもよい。
【０１２４】
なお、映像処理回路１０７がＩＰ変換部（不図示）を備えている場合、再生対象番組のジャンルが映画である場合には、コーミングノイズが発生しやすくなるため、録画形態に応じてＩＰ変換部における処理をフレーム内処理（すなわち、静止画に対して行う処理）に設定することが好ましい。
【０１２５】
＜変形例２＞
本実施形態に係るテレビ１の再生処理において、放送媒体及び録画形態と、再生対象番組に施される画像処理の程度を示す値とを関連づけた１つの補正値テーブルを参照する構成を例に挙げて説明したが、本発明はこれに限定されるものではない。
【０１２６】
例えば、図６に示すように、ＲＯＭ１１６に、ノイズ除去部２２にて施されるノイズリダクション処理の強度を定めるＤＮＲテーブル、階調スムーサ部２３にて施される階調平滑化処理の強度を定める階調スムーサテーブル、エッジ強調部２４にて施されるエッジ強調処理の強度を定めるエッジ強調テーブル、及び、高精細化処理部２５にて施される高精細化処理の強度を定める高精細化テーブルが個別に格納されていてもよい。図６は、本実施形態の変形例２におけるテーブルの一例を示す図である。
【０１２７】
また、ＤＮＲテーブル、階調スムーサテーブル、エッジ強調テーブル及び高精細化テーブル、若しくは、補正値テーブルを、テレビ１を利用するユーザ毎に備えていてもよい。さらに、ＣＰＵ１１８は、録画対象番組を録画するための設定（録画設定）を行ったユーザのユーザ情報を、当該録画対象番組と関連付けてＵＳＢ−ＨＤドライブ２に格納してもよい。
【０１２８】
この構成により、再生処理において、ＣＰＵ１１８がユーザ情報を読み出し、ユーザ情報が示すユーザに対応した補正値テーブル、又は、ＤＮＲテーブル、階調スムーサテーブル、エッジ強調テーブル及び高精細化テーブルに定められている画像処理の程度を示す値を映像処理回路１０７に供給することができる。これによって、映像処理回路１０７は、再生対象番組の映像信号に対し、録画設定を行ったユーザの好みに合わせた画像処理を施すことができる。
【０１２９】
さらに、本変形例に係るテレビ１の再生処理において、再生対象番組に対して録画設定を行ったユーザ（放送コンテンツの記録を指示したユーザ）の好みに合わせた画像処理を施す構成として、例えば、補正値テーブルに設定されている値を、テレビ１を利用するユーザ毎に設定されたオフセット値（調整値）によって調整する構成を採用してもよい。
【０１３０】
補正値テーブルに設定されている値の、オフセット値による調整は、例えば、ユーザ毎のオフセット値を設定したユーザオフセットテーブルに基づいて、映像処理回路１０７によって行われればよい。また、ユーザオフセットテーブルは、例えば、ＲＡＭ１１７に格納されていればよい。
【０１３１】
なお、録画設定を行ったユーザを特定するためのユーザ情報は、ＣＰＵ１１８によって、録画対象番組と関連付けてＵＳＢ−ＨＤドライブ２に格納されていればよい。また、ユーザオフセットテーブルは、例えば、ＲＡＭ１１７に格納されていればよい。
【０１３２】
ここで、補正値テーブル、及び、ユーザオフセットテーブルを参照して再生対象番組に施される画像処理の程度を決定する構成について、図７及び図９を参照して説明する。
【０１３３】
図９は、本変形例に係るテレビ１の備える映像処理回路１０７において再生対象番組に施される画像処理の程度を決定する際に参照されるユーザオフセットテーブルの一例を示す図である。図９に示すように、ユーザオフセットテーブルには、補正値テーブルに設定されている画像処理の程度を示す値を、ユーザ毎に調整するためのオフセット値が設定されている。
【０１３４】
例えば、再生対象番組が「モード１」の録画形態で録画されており、放送媒体が「ＢＳ放送」である場合であって、録画設定を行ったユーザが「ユーザ２」である場合、ノイズ除去部２２にて施されるノイズリダクション処理の強度は、図７に示す補正値テーブルに設定されている「０ｘ０３」から図９に示すユーザオフセットテーブルに設定されている「−０ｘ０１」だけオフセットされて「０ｘ０２」となる。同様にして、階調スムーサ部２３にて施される階調平滑化処理の強度は「０ｘ０３」のままとなり、エッジ強調部２４にて施されるエッジ強調処理の強度は「０ｘ０１」から「＋０ｘ０１」だけオフセットされて「０ｘ０２」となり、高精細化処理部２５にて施される高精細化処理の強度は「０ｘ１０」のままとなる。
【０１３５】
上述の構成によって、映像処理回路１０７は、再生対象番組に対し、補正値テーブルとユーザオフセットテーブルとを参照してＣＰＵ１１８によって設定された値（程度）を用いて各処理部２２〜２５における各処理を施すことができる。
【０１３６】
これによって、映像処理回路１０７は、再生対象番組の映像信号に対し、録画設定を行ったユーザの好みに合わせた画像処理を施すことができる。したがって、テレビ１は、再生対象番組を、当該再生対象番組の録画設定を行ったユーザの好みに合わせた画像処理を施したうえで、当該ユーザに提供することができる。
【０１３７】
なお、ユーザオフセットテーブルに設定されているオフセット値の設定方法として、例えば、ユーザがリモコン操作によってテレビ１をユーザ毎のオフセット値の設定を受け付けるオフセット値設定モードに遷移させ、当該オフセット値設定モードにおいて自身の好みに合ったオフセット値をリモコンを介して入力する方法などを挙げることができる。
【０１３８】
また、録画設定を行ったユーザの特定方法としては、例えば、テレビ１の備えるカメラ１２０によって撮像された画像からユーザを特定する方法、及び、指紋センサ（不図示）によって読み取られた指紋に基づいてユーザを特定する方法などを挙げることができる。さらに、テレビ１が、携帯電話及びスマートフォンなどから取得した電話番号、及びＳＩＭカードのＩＤ番号などの情報に基づいてユーザを特定する方法を挙げることもできる。
【０１３９】
上述の構成によれば、例えば、子供であるユーザに対応した補正値テーブル、又は、エッジ強調テーブルに、大人であるユーザに対応した補正値テーブル、又は、エッジ強調テーブルに定められている値よりも小さな値を設定しておくことにより、子供が録画設定を行った再生対象番組の映像信号に対するエッジ強調処理を弱めることができるため、刺激の少ない映像を表す映像信号とすることもできる。
【０１４０】
＜変形例３＞
ＣＳ放送におけるＳＤ放送などでは、各放送局によって放送番組の解像度が異なっている。各放送局によって放送番組の解像度が異なる場合、録画部１０４ａのスケーリング処理部１１においてスケーリングした後の解像度が同じであっても、スケーリングされる前の解像度が低いほど、ノイズが多くなる傾向にある。
【０１４１】
このような場合には、上述した補正値テーブルにおいて、放送媒体毎に、録画形態に応じた画像処理の程度を示す値を設定する構成に代え、放送局毎に、録画形態に応じた画像処理の程度を示す値を設定する構成を採用すればよい。
【０１４２】
＜変形例４＞
本実施形態に係るテレビ１の再生処理において、放送媒体情報及び録画形態情報からなる録画情報に応じて再生対象番組に施される画像処理の程度の値を決定する構成を例に挙げて説明したが、本発明はこれに限定されるものではない。例えば、再生対象番組がサイド・バイ・サイド方式の３Ｄ映像である場合に、当該３Ｄ映像の再生対象番組に適切な画像処理を施す構成として、補正値テーブルに設定されている値を、再生対象番組が３Ｄ映像である場合に適用するオフセット値（３Ｄ映像のオフセット値）によって調整する構成を採用してもよい。
【０１４３】
補正値テーブルに設定されている値の、オフセット値による調整は、例えば、３Ｄ映像のオフセット値を設定した３Ｄオフセットテーブルに基づいて、映像処理回路１０７によって行われればよい。また、３Ｄオフセットテーブルは、例えば、ＲＡＭ１１７に格納されていればよい。
【０１４４】
ここで、補正値テーブル、及び、３Ｄオフセットテーブルを参照して再生対象番組に施される画像処理の程度を決定する構成について、図７及び図１０を参照して説明する。
【０１４５】
図１０は、本変形例に係るテレビ１において、再生対象番組に施される画像処理の程度を決定する際に参照される３Ｄオフセットテーブルの一例を示す図である。図１０に示すように、３Ｄオフセットテーブルには、補正値テーブルに設定されている画像処理の程度を示す値を調整するためのオフセット値が設定されている。
【０１４６】
例えば、再生対象番組が「モード１」の録画形態で録画されており、放送媒体が「ＢＳ放送」である場合であって、サイド・バイ・サイド方式の３Ｄ映像である場合、ノイズ除去部２２にて施されるノイズリダクション処理の強度は、図７に示す補正値テーブルに設定されている「０ｘ０３」から図９に示すユーザオフセットテーブルに設定されている「０ｘ００」だけオフセットされて「０ｘ０３」のままとなる。同様にして、階調スムーサ部２３にて施される階調平滑化処理の強度は「０ｘ０３」のままとなり、エッジ強調部２４にて施されるエッジ強調処理の強度は「０ｘ０１」から「＋０ｘ０１」だけオフセットされて「０ｘ０２」となり、高精細化処理部２５にて施される高精細化処理の強度は「０ｘ１０」から「＋０ｘ０１」だけオフセットされて「０ｘ１１」となる。
【０１４７】
上述の構成によって、上記ＣＰＵ１１８は、再生対象番組が３Ｄ映像画像である場合に、エッジ強調処理及び高精細化処理の程度を、補正値テーブルに設定されている程度以上に設定することができる。
【０１４８】
したがって、映像処理回路１０７は、再生対象番組がサイド・バイ・サイド方式の３Ｄ映像である場合であっても、エッジ強調処理及び高精細化処理の程度を強くすることによって、ノイズリダクション処理及び階調平滑化処理によって低下する鮮鋭感及び精細感をよりはっきりと復元することができる。これによって、映像処理回路１０７は、３Ｄ映像である再生対象番組の映像信号に対し、適切な画像処理を施すことができる。
【０１４９】
なお、本実施形態の各変形例に係るテレビ１では、補正値テーブルに設定されている値を、各オフセットテーブルの何れかに設定されている値を用いてオフセットする構成を例に挙げて説明しているが、本発明はこれに限定されるものではない。例えば、補正値テーブルに設定されている値を、上述した２つ以上のオフセットテーブルに設定されている値を用いてオフセットする構成を採用してもよい。
【０１５０】
例えば、補正値テーブルに設定されている値を、上述した映画オフセットテーブル及びユーザオフセットテーブルの各々に設定されている値を用いてオフセットしてもよい。また、補正値テーブルに設定されている値を、映画オフセットテーブル、ユーザオフセットテーブル、及び３Ｄオフセットテーブルの各々に設定されている値を用いてオフセットしてもよい。
【０１５１】
（プログラム、記憶媒体）
テレビ１の各ブロックは、集積回路（ＩＣチップ）上に形成された論理回路によってハードウェア的に実現してもよいし、ＣＰＵ（Central Processing Unit）を用いてソフトウェア的に実現してもよい。
【０１５２】
後者の場合、テレビ１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１の制御プログラムのプログラムコード（実行形式プログラム、中間コードプログラム、ソースプログラム）をコンピュータで読み取り可能に記録した記録媒体を、テレビ１に供給し、そのコンピュータ（またはＣＰＵやＭＰＵ）が記録媒体に記録されているプログラムコードを読み出し実行することによっても、達成可能である。
【０１５３】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１５４】
また、上記プログラムコードは、通信ネットワークを介してテレビ１に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１５５】
〔付記事項〕
本実施形態に係る記録再生装置は、以上のように、放送コンテンツを記録媒体に記録する記録手段と、該記録媒体に記録された放送コンテンツを再生する再生手段とを備えた記録再生装置であって、上記記録手段が放送コンテンツを記録する際に、該放送コンテンツの放送媒体を示す放送媒体情報、及び、該放送コンテンツの記録形態を示す記録形態情報を、該放送コンテンツと関連付けて保存する保存手段と、上記再生手段が放送コンテンツを再生する際に、該放送コンテンツに対して画像処理を施す画像処理手段と、上記画像処理手段を制御する制御手段であって、上記画像処理手段が放送コンテンツに施す画像処理の程度を、該放送コンテンツに関連付けて保存された放送媒体情報、及び、記録形態情報に応じて自動的に設定する制御手段と、を備えている、ことを特徴としている。
【０１５６】
また、本実施形態に係る記録再生方法は、以上のように、放送コンテンツを記録媒体に記録する記録ステップと、該記録媒体に記録された放送コンテンツを再生する再生ステップとを含む記録再生装置の記録再生方法であって、上記記録ステップにおいて放送コンテンツを記録する際に、該放送コンテンツの放送媒体を示す放送媒体情報、及び、該放送コンテンツの記録形態を示す記録形態情報を、該放送コンテンツと関連付けて保存する保存ステップと、上記再生ステップにおいて放送コンテンツを再生する際に、該放送コンテンツに対して画像処理を施す画像処理ステップと、上記画像処理ステップにおいて放送コンテンツに施す画像処理の程度を、該放送コンテンツに関連付けて保存された放送媒体情報、及び、記録形態情報に応じて自動的に設定する制御ステップと、を含んでいる、ことを特徴としている。
【０１５７】
上記の構成によれば、上記画像処理手段は、再生する放送コンテンツに関連付けて保存された上記放送媒体情報、及び、記録形態情報に応じて自動的に設定された画像処理の程度に従って、該放送コンテンツに対して画像処理を施す。
【０１５８】
これによって、上記画像処理手段は、上記放送コンテンツを、上記記録形態に応じて最適な画像処理を施すことができると共に、上記放送媒体に応じた最適な画像処理を施すことができる。
【０１５９】
なお、上記記録形態としては、例えば、放送コンテンツをそのままの解像度で記録する形式、そのままの解像度の１／４の解像度で記録する形式、及び、そのままの解像度の１／８の解像度で記録する形式などを挙げることができる。
【０１６０】
また、放送媒体としては、例えば、地上デジタル放送、ＢＳ放送、ＣＳ放送、ＣＡＴＶ放送、及び、ＩＰ放送などを挙げることができる。
【０１６１】
本実施形態に係る記録再生装置において、上記画像処理手段は、上記再生手段によって再生された放送コンテンツに対して平滑化処理を施す平滑化手段と、上記平滑化手段によってノイズが除去された放送コンテンツに対してエッジ強調処理又は高精細化処理を施すエッジ強調／高精細化手段とを含み、上記制御手段は、上記再生手段が放送コンテンツを再生する際に、上記記録媒体に記録された該放送コンテンツの解像度を上記記録形態情報を参照して特定すると共に、特定した解像度が低いほど、上記平滑化処理の程度、及び、上記エッジ強調処理又は上記高精細化処理の程度の双方を強くする、ことが好ましい。
【０１６２】
上記の構成によれば、上記画像処理手段は、上記放送コンテンツに対して、上記平滑化手段及び上記エッジ強調／高精細化手段において、上記平滑化処理と上記エッジ強調処理又は高精細化処理とを、この順で施す。上記平滑化処理においては、放送コンテンツに含まれるノイズを除去することができるが、放送コンテンツが表す映像の輪郭などがぼやけることで、鮮鋭感及び精細感が低下してしまうという副次的な問題を招来し得る。上記の構成によれば、この鮮鋭感及び精細感が低下した放送コンテンツに対し、上記エッジ強調処理又は高精細化処理を行うことにより、鮮鋭感及び精細感の低下を防ぐことができる。
【０１６３】
また、上記制御手段は、上記記録形態を参照して特定される上記コンテンツの解像度が低いほど、上記平滑化処理の程度、及び、上記エッジ強調処理又は上記高精細化処理の程度の双方を強くする。これによって、一般的に、高い解像度で記録されたコンテンツよりも多くのノイズを含むことになる、低い解像度で記録された放送コンテンツから、より多くのノイズを除去することができる。また、強い平滑化処理が施された放送コンテンツに対して強いエッジ強調処理又は高精細化処理を施すことによって、放送コンテンツが表す映像がぼやけてしまうことを防ぐことができる。
【０１６４】
本実施形態に係る記録再生装置において、上記制御手段は、上記特定した解像度と、上記平滑化処理の程度、及び、上記エッジ強調処理又は上記高精細化処理の程度の双方とを、該放送コンテンツの放送媒体毎に互いに関連付けて記録したテーブルを参照して、上記平滑化処理の程度、及び、上記エッジ強調処理又は上記高精細化処理の程度を設定する、ことが好ましい。
【０１６５】
上記の構成によれば、上記制御手段は、上記平滑化処理の程度、及び、上記エッジ強調処理又は上記高精細化処理の程度を、上記特定した解像度に応じて上記放送媒体毎に記録したテーブルを参照して設定する。これによって、上記画像処理手段において、上記放送コンテンツに対して、上記放送媒体毎に最適な平滑化処理、及び、エッジ強調処理又は上記高精細化処理を施すことができる。
【０１６６】
本実施形態に係る記録再生装置において、上記保存手段は、さらに、上記記録手段が放送コンテンツを記録する際に、該放送コンテンツのジャンルを示すジャンル情報を、該放送コンテンツと関連づけて保存し、上記制御手段は、上記再生手段が放送コンテンツを再生する際に、上記記録媒体に記録された該放送コンテンツのジャンルを、ジャンル情報を参照して特定すると共に、特定したジャンルが映画である場合に、上記平滑化処理の程度を上記テーブルに記録されている程度以下に設定し、上記エッジ強調処理又は上記高精細化処理の程度を上記テーブルに記録されている程度以上に設定する、ことが好ましい。
【０１６７】
上記の構成によれば、上記制御手段は、再生する放送コンテンツのジャンルが映画である場合に、上記テーブルに記録されている上記平滑化処理の程度、及び、上記エッジ強調処理又は上記高精細化処理の程度を上記テーブルに記録されている程度以下に設定し、上記エッジ強調処理又は上記高精細化処理の程度を上記テーブルに記録されている程度以上に設定する。
【０１６８】
上記の構成によれば、上記平滑化処理の程度を上記テーブルに記録されている程度以下に設定することによって、放送コンテンツが映画である場合に特有のグレインノイズが、上記平滑化手段において必要以上に除去されることを防ぐことができる。また、上記エッジ強調処理又は上記高精細化処理の程度を上記テーブルに記録されている程度以上に設定することによって、上記平滑化手段において除去されたグレインノイズを強調することができ、これによって、グレインノイズを再現することができる。
【０１６９】
本実施形態に係る記録再生装置において、上記保存手段は、さらに、上記記録手段が放送コンテンツを記録する際に、該記録手段による放送コンテンツの記録を指示したユーザを示すユーザ情報を、該放送コンテンツと関連づけて保存し、上記制御手段は、上記再生手段が放送コンテンツを再生する際に、上記テーブルと、該放送コンテンツに関連付けられたユーザ情報の示すユーザによって予め設定されている上記平滑化処理の程度、及び、上記エッジ強調処理又は上記高精細化処理の程度の各々に対する調整値と、を参照することによって、上記平滑化処理の程度、及び、上記エッジ強調処理又は上記高精細化処理の程度を設定する、ことが好ましい。
【０１７０】
上記の構成によれば、上記制御手段は、上記放送コンテンツの記録を指示したユーザの好みに合わせた画像処理の程度を設定する。これによって、上記再生手段は、上記再生手段が再生する放送コンテンツに対し、該放送コンテンツの記録を指示したユーザの好みに合わせた画像処理を施すことができる。
【０１７１】
本実施形態に係る記録再生装置において、上記制御手段は、上記再生手段によって再生される放送コンテンツが３次元画像である場合に、上記エッジ強調処理又は上記高精細化処理の程度を上記テーブルに記録されている程度以上に設定する、ことが好ましい。
【０１７２】
上記の構成によれば、上記制御手段は、上記放送コンテンツが３次元画像である場合に適した画像処理の程度を設定することができる。したがって、上記再生手段は、３次元画像である放送コンテンツに対して、より適切な画像処理を施すことができる。
【０１７３】
なお、上記記録再生装置を備えたテレビジョン受像機も本発明の範疇に含まれる。
【０１７４】
また、コンピュータを本発明に係る記録再生装置として動作させるためのプログラムであって、上記コンピュータを上記記録再生装置の各手段として機能させることを特徴とするプログラム、及び、それらのプログラムを記録したコンピュータ読み取り可能な記録媒体も本発明の範疇に含まれる。
【０１７５】
本実施形態に係る記録再生装置は、上述したように、放送コンテンツを記録媒体に記録する記録手段と、該記録媒体に記録された放送コンテンツを再生する再生手段とを備えた記録再生装置であって、上記記録手段が放送コンテンツを記録する際に、該放送コンテンツの放送媒体を示す放送媒体情報、及び、該放送コンテンツの記録形態を示す記録形態情報を、該放送コンテンツと関連付けて保存する保存手段と、上記再生手段が放送コンテンツを再生する際に、該放送コンテンツに対して画像処理を施す画像処理手段と、上記画像処理手段を制御する制御手段であって、上記画像処理手段が放送コンテンツに施す画像処理の程度を、該放送コンテンツに関連付けて保存された放送媒体情報、及び、記録形態情報に応じて自動的に設定する制御手段と、を備えている、ことを特徴としている。
【０１７６】
これによって、上記制御手段において、画像処理の程度が、上記放送媒体情報、及び、記録形態情報に応じて設定されることにより、上記画像処理手段において、上記放送コンテンツに対して最適な画像処理を施すことができる。
【０１７７】
なお、ここで開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【産業上の利用可能性】
【０１７８】
本発明は、放送番組を記録および再生する録画再生装置一般に適用することができる。録画再生機能を有するテレビは、その一例であり、例えば、パーソナルコンピュータ、及び、携帯電話などにも好適に利用することができる。
【符号の説明】
【０１７９】
１        テレビ（記録再生装置）
２        ＵＳＢ−ＨＤドライブ
３        ＵＳＢケーブル
１１      スケーリング処理部
１２      符号化部
１３      復号部
２１      スケーリング処理部
２２      ノイズ除去部（平滑化手段）
２３      階調スムーサ部（平滑化手段）
２４      エッジ強調部（エッジ強調／高精細化手段）
２５      高精細化処理部（エッジ強調／高精細化手段）
１０１    外部入力端子
１０２    地上デジタル放送チューナ
１０３    衛星放送チューナ
１０４    録画再生部
１０４ａ  録画部（記録手段）
１０４ｂ  再生部（再生手段）
１０５    ＢＤドライブ
１０６    映像セレクタ
１０７    映像処理回路（画像処理手段）
１０８    ＯＳＤ生成部
１０９    ＬＣＤコントローラ
１１０    ＬＣＤ
１１１    音声セレクタ
１１２    音声処理回路
１１３    アンプ
１１４    スピーカ
１１５    ＵＳＢインターフェース
１１６    ＲＯＭ
１１７    ＲＡＭ
１１８    ＣＰＵ（保存手段、制御手段）
１１９    赤外線受光部
１２０    カメラ
１２１    ＨＤドライブ
【要約】
【課題】放送番組に対し放送媒体に応じた最適な画像処理を施す再生装置を提供する。
【解決手段】本発明のテレビ１は、放送コンテンツを再生する際に、該放送コンテンツに対して映像処理回路１０７が施す画像処理の程度を、該放送コンテンツに関連付けて保存された放送媒体情報に応じて自動的に設定するＣＰＵ１１８を備えている。
【選択図】図１【図１】
0005122696.tif 000002
【図２】
0005122696.tif 000003
【図３】
0005122696.tif 000004
【図４】
0005122696.tif 000005
【図５】
0005122696.tif 000006
【図６】
0005122696.tif 000007
【図７】
0005122696.tif 000008
【図８】
0005122696.tif 000009
【図９】
0005122696.tif 000010
【図１０】
0005122696.tif 000011